(57)【特許請求の範囲】
【請求項１】
受信放送信号の映像フォーマットを走査線数により判定する映像フォーマット判定処理手段を備えた映像処理装置において、
受信放送信号から水平同期信号を分離する同期信号分離手段と、
分離した水平同期信号のパルス数をカウントするカウント手段と、
このカウント手段のカウント数に基づいて同期信号の有無を判定する同期信号判定手段とを備えており、
前記同期信号判定手段は、一定時間の間に前記カウント手段によってカウントされたパルス数が、映像フォーマットごとに予め設定されている判定基準となるパルス数の範囲内に含まれている場合に同期信号有りの仮判定を行う仮判定処理を連続的にまたは所定の時間間隔で繰り返し実施するとともに、この仮判定結果が予め設定された複数回連続して得られた場合にのみ、最終的に同期信号有りと判定する一方、
１つの映像フォーマットに対応して予め設定されている判定基準となるパルス数の範囲と、他の１つの映像フォーマットに対応して予め設定されている判定基準となるパルス数の範囲とが一部重複している場合であって、複数回連続して得られた同期信号有りの仮判定の結果が、一定時間の間に前記カウント手段によってカウントされたパルス数が前記重複範囲に含まれることによって得られた結果である場合には、前記映像フォーマット判定処理手段は、前記１つの映像フォーマットまたは他の１つの映像フォーマットのうち直近に受信していた方の映像フォーマットを優先して判定処理を実施することを特徴とする映像処理装置。
【請求項２】
受信放送信号の映像フォーマットを走査線数により判定する映像フォーマット判定処理手段を備えた映像処理装置において、
受信放送信号から水平同期信号を分離する同期信号分離手段と、
分離した水平同期信号のパルス数をカウントするカウント手段と、
このカウント手段のカウント数に基づいて同期信号の有無を判定する同期信号判定手段とを備えており、
前記同期信号判定手段は、一定時間の間に前記カウント手段によってカウントされたパルス数が、映像フォーマットごとに予め設定されている判定基準となるパルス数の範囲内に含まれている場合に同期信号有りの仮判定を行う仮判定処理を連続的にまたは所定の時間間隔で繰り返し実施するとともに、この仮判定結果が予め設定された複数回連続して得られた場合にのみ、最終的に同期信号有りと判定する一方、
１つの映像フォーマットに対応して予め設定されている判定基準となるパルス数の範囲と、他の１つの映像フォーマットに対応して予め設定されている判定基準となるパルス数の範囲とが一部重複している場合であって、複数回連続して得られた同期信号有りの仮判定の結果が、一定時間の間に前記カウント手段によってカウントされたパルス数が前記重複範囲に含まれることによって得られた結果である場合には、前記映像フォーマット判定処理手段は、予め決められた順番に従って、前記１つの映像フォーマット及び他の１つの映像フォーマットのいずれか一方から映像フォーマットの判定処理を実施することを特徴とする映像処理装置。
【請求項３】
受信放送信号の映像フォーマットを走査線数により判定する映像フォーマット判定処理手段を備えた映像処理装置において、
受信放送信号から水平同期信号を分離する同期信号分離手段と、
分離した水平同期信号のパルス数をカウントするカウント手段と、
このカウント手段のカウント数に基づいて同期信号の有無を判定する同期信号判定手段とを備えており、
前記同期信号判定手段は、一定時間の間に前記カウント手段によってカウントされたパルス数が、映像フォーマットごとに予め設定されている判定基準となるパルス数の範囲内に含まれている場合に同期信号有りの仮判定を行う仮判定処理を連続的にまたは所定の時間間隔で繰り返し実施するとともに、この仮判定結果が予め設定された複数回連続して得られた場合にのみ、最終的に同期信号有りと判定する一方、
１つの映像フォーマットに対応して予め設定されている判定基準となるパルス数の範囲と、他の１つの映像フォーマットに対応して予め設定されている判定基準となるパルス数の範囲とが一部重複している場合であって、複数回連続して得られた同期信号有りの仮判定の結果が、一定時間の間に前記カウント手段によってカウントされたパルス数が前記重複範囲に含まれることによって得られた結果である場合には、前記映像フォーマット判定処理手段は、前記１つの映像フォーマットまたは他の１つの映像フォーマットのうち、過去の受信履歴から受信回数の多い方を優先して映像フォーマットの判定処理を実施することを特徴とする映像処理装置。
【請求項４】
前記１つの映像フォーマットが有効走査線数４８０本のプログレッシブ方式の映像フォーマットであり、前記他の１つの映像フォーマットが有効走査線数１０８０本のインターレース方式の映像フォーマットであることを特徴とする請求項１、２または３に記載の映像処理装置。
【請求項５】
前記一定時間が２ｍｓｅｃである場合に、前記１つの映像フォーマットに対応して予め設定されているパルス数の範囲が５９から６６パルスであり、前記他の１つの映像フォーマットに対応して予め設定されているパルス数の範囲が６４から７１パルスであることを特徴とする請求項４に記載の映像処理装置。
【発明の詳細な説明】
【技術分野】
【０００１】
本発明は、受信放送信号の映像フォーマットを走査線数により判定する映像フォーマット判定処理手段を備えた映像処理装置に係り、より詳細には、映像フォーマットの判定処理をより確実かつ迅速に行うことのできる映像処理装置に関する。
【背景技術】
【０００２】
現在、デジタル放送の映像フォーマットには、走査線数が５２５本（有効走査線数４８０本）でインターレース方式（飛越し走査方式）の標準的な映像フォーマット（４８０ｉ）、走査線数が５２５本（有効走査線数４８０本）でプログレッシブ方式（順次走査方式）の映像フォーマット（４８０ｐ）、走査線数が１１２５本（有効走査線数１０８０本）でインターレース方式のデジタルハイビジョンの映像フォーマット（１０８０ｉ）、走査線数が１１２５本（有効走査線数１０８０本）でプログレッシブ方式のデジタルハイビジョンの映像フォーマット（１０８０ｐ）などがある。
【０００３】
このような各種映像フォーマットのデジタル放送を受信するデジタル放送受信機などの映像処理装置では、受信するデジタル放送信号の映像フォーマットを判定する必要があるが、従来、この判定は、受信放送信号の垂直期間内の走査線数を計測することによって行っていた。
【０００４】
この場合、４８０ｐの映像フォーマットでは計測値が１０５０となり、１０８０ｉの映像フォーマットでは計測値が１１２５となって、非常に近い計測値を示すことになる。そのため、無信号時のノイズやノイズのある受信放送信号の走査線数を計測した場合には、このノイズ分も計測されるため、特に４８０ｐと１０８０ｉとの間で誤判定が生じるといった問題があった。
【０００５】
ここで、映像フォーマットを判定する手法が例えば特許文献１に記載されている。
【０００６】
この判定手法では、復号映像信号の信号規格が５２５ｉの場合には、水平周波数が１５７３４Ｈｚであることから、カウント数が７８または７９となり、そのカウント数を２進数で示した信号を周波数信号として出力し、６２５ｉの場合には、水平周波数が１５６２４Ｈｚであることから、カウント数が７８または７９となり、そのカウント数を２進数で示した信号を周波数信号として出力し、５２５ｐの場合には、水平周波数が３１５００Ｈｚであることから、カウント数が１５７または１５８となり、そのカウント数を２進数で示した信号を周波数信号として出力し、６２５ｐの場合には、水平周波数が３１２５０Ｈｚであることから、カウント数が１５７または１５８となり、そのカウント数を２進数で示した信号を周波数信号として出力する。信号判別手段では、上記２進数で示した周波数信号の下位から７ビット目と８ビット目とを用いて復号映像信号の種類を判別するようになっている。すなわち、インターレース方式の場合に比べてプログレッシブ方式の場合は、そのカウント値が２倍になることから、これを２進数に換算すると、７ビット目と８ビット目の１と０とが逆になることを利用して、映像フォーマットを判定するようになっている。
【特許文献１】特開２００４−２１５００４号公報（［００４１］，［００４２］参照）
【発明の開示】
【発明が解決しようとする課題】
【０００７】
上記特許文献１の判定手法では、映像フォーマットがインターレース方式であるのかプログレッシブ方式であるのか判定は可能であるが、上記した４８０ｐの映像フォーマットと１０８０ｉの映像フォーマットとを判定することができないといった問題があった。
【０００８】
また、走査線数をカウントするに際し、上記誤判定を防止するために、走査線数のカウントを複数回繰り返してその一致を見たり、アップ／ダウンカウンタ方式（すなわち、一致している場合には＋１、不一致の場合には−１して、最終的に例えば＋４になると映像フォーマットの判定をＯＫとする処理方式）をとったりする場合もあるが、これでは判定までに時間がかかり過ぎるといった問題があった。そのため、ユーザにとっては、映像が表示されるまでに時間がかかるため、装置が故障しているかの誤解を与えてしまうといった問題もあった。
【０００９】
本発明はかかる問題点を解決すべく創案されたもので、その目的は、映像フォーマットの判定処理を行う前に、同期信号の有無判定を行うことにより、映像フォーマットの判定処理を確実かつ迅速に行うことのできる映像処理装置を提供することにある。
【課題を解決するための手段】
【００１０】
本発明の映像処理装置は、受信放送信号の映像フォーマットを走査線数により判定する映像フォーマット判定処理手段を備えた映像処理装置において、受信放送信号から水平同期信号を分離する同期信号分離手段と、分離した水平同期信号のパルス数をカウントするカウント手段と、このカウント手段のカウント数に基づいて同期信号の有無を判定する同期信号判定手段とを備えており、前記同期信号判定手段により同期信号有りと判定された場合にのみ、前記映像フォーマット判定処理手段による映像フォーマットの判定処理を行う構成としている。
【００１１】
すなわち、同期信号の有無をまず判定することで、放送信号を確実に受信している状態で映像フォーマットの判定処理を行うことができる。これにより、映像フォーマットの判定処理時に、ノイズ等の影響を極力排除することができるため、より精度の高い判定処理が可能となる。
【００１２】
この場合、前記同期信号判定手段は、一定時間の間に前記カウント手段によってカウントされたパルス数が、映像フォーマットごとに予め設定されている判定基準となるパルス数の範囲内に含まれている場合に同期信号有りの仮判定を行う仮判定処理を連続的にまたは所定の時間間隔で繰り返し実施するとともに、この仮判定結果が予め設定された複数回連続して得られた場合にのみ、最終的に同期信号有りと判定する。
【００１３】
具体的には、１つの映像フォーマットを有効走査線数４８０本のプログレッシブ方式の映像フォーマット（４８０ｐ）とし、他の１つの映像フォーマットを有効走査線数１０８０本のインターレース方式の映像フォーマット（１０８０ｉ）とし、前記一定時間を２ｍｓｅｃとすると、４８０ｐの映像フォーマットの場合、２ｍｓｅｃの間に水平同期信号のパルス数が約６２（≒５２５×６０×０．０２）パルスあることから、判定基準となるパルス数の範囲として５９から６６パルスの範囲を設定し、１０８０ｉの映像フォーマットの場合、２ｍｓｅｃの間に水平同期信号のパルス数が約６７（≒１１２５×３０×０．０２）パルスあることから、判定基準となるパルス数の範囲として６４から７１パルスの範囲を設定する。そして、同期信号判定手段は、カウント手段によって２ｍｓｅｃの間にカウントされた水平同期信号のカウント数が、例えば連続して４回、上記いずれかの範囲内に入っていれば、最終的に同期信号有りと判定する。
【００１４】
ここで、上記の例では、４８０ｐの映像フォーマットの判定基準となるパルス数の範囲と、１０８０ｐの映像フォーマットの判定基準となるパルス数の範囲とが一部重複している。具体的には、パルス数として、（６４，６５，６６）が重複している。
【００１５】
そこで、本発明では、この同期信号判定手段での判定結果を踏まえて、次の映像フォーマット判定処理手段での判定処理を決定するように構成している。
【００１６】
すなわち、４回連続して得られた同期信号有りの仮判定の結果が、２ｍｓｅｃの間にカウント手段によってカウントされるパルス数が前記重複範囲（６４，６５，６６）に含まれることによって得られた結果である場合（具体的には、１回目の仮判定で６４パルス、２回目の仮判定で６５パルス、３回目の仮判定で６５パルス、４回目の仮判定で６６パルス、といった具合に、４回の仮判定がいずれも重複範囲に含まれることによって同期信号有りと判定された場合）には、映像フォーマット判定処理手段は、次の３つの手法のうちのいずれかの手法によって映像フォーマットの判定処理を実施する。
【００１７】
第１の手法は、予め決められた順番で映像フォーマットの判定処理を実施する。例えば、最初に４８０ｐの映像フォーマット、次に１０８０ｉの映像フォーマットといった具合に判定処理を実施する手法である。
【００１８】
また、第２の手法は、４８０ｐの映像フォーマットまたは１０８０ｉの映像フォーマットのうち、直近に受信していた方の映像フォーマットを優先して判定処理を実施する手法である。すなわち、直近に受信していた映像フォーマットが１０８０ｉである場合には、１０８０ｉの映像フォーマットから判定処理を実施する。この第２の手法は、前回受信していた場合には、今回も同様の映像フォーマットの放送信号を受信する可能性が高いといった視聴傾向を考慮した判定処理となっている。これにより、映像フォーマットの判定処理をより迅速に行うことが可能となる。
【００１９】
また、第３の手法は、４８０ｐまたは１０８０ｉのうち、過去の受信履歴から受信回数の多い方を優先して映像フォーマットの判定処理を実施する手法である。例えば、過去１週間分の受信履歴の統計を取った結果、４８０ｐの映像信号を受信した回数が１５回、１０８０ｉの映像信号を受信した回数が１１回である場合には、４８０ｐの映像フォーマットから判定処理を実施する。この第３の手法も、直近の過去に受信していた回数の多い映像フォーマットの放送信号を、今回も受信する可能性が高いことを考慮した判定処理となっている。これにより、映像フォーマットの判定処理をより迅速に行うことが可能となる。
【発明の効果】
【００２０】
本発明の映像処理装置によれば、映像フォーマットの判定処理を行う前に、同期信号の有無判定を行うことにより、映像フォーマットの判定処理を確実かつ迅速に行うことができる。つまり、映像フォーマットの判定処理時に、ノイズ等の影響を極力排除することができるため、より精度の高い判定処理が可能となる。また、従来のように映像フォーマットの判定処理を複数回の一致やアップ／ダウン方式で行っていた場合に比べ、判定処理時間を十分に短縮することができる。さらに、ユーザにとっては、映像が表示されるまでの時間が短縮されることから、装置が故障しているかのような誤解も招くことがない。
【発明を実施するための最良の形態】
【００２１】
以下、本発明の実施の形態について、図面を参照して説明する。
【００２２】
図１は、本発明の映像処理装置の主要部の電気的構成を示すブロック図であり、本実施形態では、デジタルテレビジョン受像機に適用した例を示している。
【００２３】
すなわち、テレビジョン放送信号を受信するチューナ回路２２の出力は、ＴＶ信号処理回路２３に接続されており、ＴＶ信号処理回路２３の出力は、ＣＲＴ等の表示部２４に接続されている。また、ＴＶ信号処理回路２３によって分離された音声信号の出力は、増幅器２５を介して内部スピーカ２６に接続されている。また、ＴＶ信号処理回路２３の出力は、同期信号分離回路２７に接続されており、同期信号分離回路２７の出力は、ＴＶマイコン２１に接続されている。
【００２４】
同期信号分離回路２７は、ＴＶ信号処理回路２３によって処理された映像信号から垂直同期信号及び水平同期信号を分離してＴＶマイコン２１に入力する。
【００２５】
また、ＴＶマイコン２１には、工場出荷時に予め設定された表示画面の明るさ系の設定値（すなわち、ブライト、コントラスト、カラー、シャープネス等の設定値）を初期値として格納しておくＥＥＰＲＯＭやフラッシュメモリ等からなるメモリ部２８が接続されている。このメモリ部２８には、過去に受信した放送信号の映像フォーマットの受信履歴等を格納しておく受信履歴格納エリアが設けられている。また、ＴＶマイコン２１には、後述する一定時間（例えば、２ｍｓｅｃ等）を計測するタイマー回路２９が接続されている。さらに、ＴＶマイコン２１には、リモコン３１からの各種操作信号を受信する受信部３０の出力が接続されている。ＴＶマイコン２１は、このリモコン３１から送信されてくる各種操作信号に基づいて動作制御を行うようになっている。
【００２６】
ＴＶマイコン２１は、チューナ回路２２を介して受信した放送信号を映像信号や音声信号に復号し、映像信号を表示部２４に表示するとともに音声信号を内部スピーカ２６から出力するようにＴＶ信号処理回路２３を制御する。
【００２７】
また、ＴＶマイコン２１は、受信放送信号の映像フォーマットを垂直期間内の走査線数により判定する映像フォーマット判定処理機能と、水平同期信号のパルス数をカウントし、そのカウント数に基づいて同期信号の有無を判定する同期信号判定機能とを備えている。そして、同期信号判定機能により同期信号有りと判定された場合にのみ、映像フォーマット判定処理機能による映像フォーマットの判定処理を行うようになっている。
【００２８】
−同期信号有無の判定処理の説明−
次に、上記構成の映像処理装置において、同期信号判定機能による判定処理について、図２及び図３に示すフローチャートを参照して説明する。
【００２９】
上記したように、現在のデジタル放送信号の映像フォーマットは、４８０ｉ、４８０ｐ、１０８０ｉ、１０８０ｐ等の種々の映像フォーマットが存在する。
【００３０】
ここで、水平同期信号のパルス数をカウントするに際し、その計測時間の単位である一定時間を２ｍｓｅｃとすると、４８０ｉの映像フォーマットの場合、２ｍｓｅｃの間に水平同期信号のパルス数が約３１（≒５２５×３０×０．０２）パルスあることから、判定基準となるパルス数の範囲として２８から３５パルスの範囲を設定する。また、４８０ｐの映像フォーマットの場合、２ｍｓｅｃの間に水平同期信号のパルス数が約６２パルスあることから、判定基準となるパルス数の範囲として５９から６６パルスの範囲を設定する。また、１０８０ｉの映像フォーマットの場合、２ｍｓｅｃの間に水平同期信号のパルス数が約６７パルスあることから、判定基準となるパルス数の範囲として６４から７１パルスの範囲を設定する。また、１０８０ｐの映像フォーマットの場合、２ｍｓｅｃの間に水平同期信号のパルス数が約１３５（≒１１２５×６０×０．００２）パルスあることから、判定基準となるパルス数の範囲として１３２から１３８パルスの範囲を設定する。
【００３１】
ＴＶマイコン２１の同期信号判定機能では、上記の条件に基づいて同期信号有無の判定処理を実施する。
【００３２】
例えば、リモコン３１の任意のボタンが操作される等して、映像フォーマットの判定処理が指示されると、ＴＶマイコン２１では、映像フォーマットの判定処理に先立って、まず、同期信号有無の判定処理を開始する。
【００３３】
すなわち、同期信号分離回路２７から入力される水平同期信号のパルス数のカウントを開始するとともに（ステップＳ１１）、タイマー回路２９を作動させて２ｍｓｅｃの計測を開始する（ステップＳ１２）。そして、２ｍｓｅｃの間にカウントされたパルス数と上記各フォーマットの判定基準とを順次比較する（ステップＳ１３〜ステップＳ１６）。その結果、カウントされたパルス数がいずれの判定基準も満たさない場合（ステップＳ１３〜ステップＳ１６で全てＮｏと判断された場合）には、カウント数を０にクリアし、再びステップＳ１１に戻って、処理を繰り返す。
【００３４】
ここで、カウントされたパルス数がいずれかの判定基準の範囲内である場合（ステップＳ１３〜ステップＳ１６のいずれかの判断がＹｅｓである場合）には、同期信号有りの仮判定を行うとともに（ステップＳ１８）、カウント数を＋１し（ステップＳ１９）、それまでのカウント数が４になったか否かを判断する（ステップＳ２０）。その結果、カウント数が４でない場合、すなわち連続４回して同期信号有りの仮判定がなされていない場合には、同期信号分離回路２７から入力される水平同期信号のパルス数のカウントを開始するとともに（ステップＳ２１）、タイマー回路２９を作動させて２ｍｓｅｃの計測を開始する（ステップＳ２２）。そして、２ｍｓｅｃの間にカウントされたパルス数と、前回Ｙｅｓと判定された判定基準（ステップＳ１３〜ステップＳ１６のいずれか）との比較を継続して行う（ステップＳ２３）。その結果、カウントされたパルス数が前回の判定基準の範囲内である場合（ステップＳ２３でＹｅｓと判断された場合）には、ステップＳ１８に戻って同期信号有りの仮判定を行うとともに、カウント数を＋１し（ステップＳ１９）、それまでのカウント数が４になったか否かを判断する（ステップＳ２０）。そして、このような処理（ステップＳ１８〜ステップＳ２３の処理）をその後連続して３回繰り返した結果、ステップＳ２０での判断がＹｅｓになると、ＴＶマイコン２１は、最終的に同期信号有りと判定し（ステップＳ２５）、同期信号有無の判定処理を終了する。
【００３５】
一方、上記処理（ステップＳ１８〜ステップＳ２３の処理）を繰り返す過程において、ステップＳ２３での判断がＮｏとなった場合、すなわち、連続４回して同期信号有りの仮判定がされる前に、同期信号無しの判定がされた場合には、それまでのカウント数を０にクリアし（ステップＳ２４）、ステップＳ１１に戻って最初から判定処理を行うことになる。
【００３６】
すなわち、本発明では、同期信号判定機能により、２ｍｓｅｃの間にカウントされる水平同期信号のカウント数が、連続して４回、上記いずれかの判定基準の範囲内に入っていれば、最終的に同期信号有りと判定するようになっている。
【００３７】
ここで、同期信号の計測タイミングについては、図４に示すような種々のパターンが考えられる。すなわち、パターン１は、２ｍｓｅｃの計測を連続して行うパターンであり、パターン２は、２ｍｓｅｃの計測を一定の時間間隔Ｔ１（例えば１０ｍｓｅｃ等）をあけて順次行うパターンであり、パターン３は、２ｍｓｅｃの計測を連続して行っている場合に、例えば２回目の計測で同期信号無しと判定された場合（図３のステップＳ２３でＮｏと判定された場合）には、その後、一定の時間間隔Ｔ２（例えば１５ｍｓｅｃ）をあけて再び２ｍｓｅｃの計測を連続して行うパターンであり、パターン４は、２ｍｓｅｃの計測を連続して行っている場合に、例えば２回目の計測で同期信号無しと判定された場合（図３のステップＳ２３でＮｏと判定された場合）には、その後、２ｍｓｅｃの計測を一定の時間間隔Ｔ３（例えば、５ｍｓｅｃ等）をあけて順次行うパターンである。
【００３８】
−映像フォーマット判定処理の説明−
上記の例では、４８０ｐの映像フォーマットの判定基準となるパルス数の範囲（５９〜６６）と、１０８０ｉの映像フォーマットの判定基準となるパルス数の範囲（６４〜７１）とが一部重複している。具体的には、パルス数として、（６４，６５，６６）が重複している。
【００３９】
そこで、本発明では、上記の同期信号有無判定の判定結果を踏まえて、次の映像フォーマット判定処理機能では、判定処理を次のように実施している。
【００４０】
すなわち、４回連続して得られた同期信号有りの仮判定の結果が、２ｍｓｅｃの間にカウントされたパルス数が前記重複範囲（６４，６５，６６）に含まれることによって得られた結果である場合（具体的には、１回目の仮判定で６４パルス、２回目の仮判定で６５パルス、３回目の仮判定で６５パルス、４回目の仮判定で６６パルス、といった具合に、４回の仮判定がいずれも重複範囲に含まれることによって最終的に同期信号有りと判定された場合）には、映像フォーマット判定処理手段は、次の３つの手法のうちのいずれかの手法によって映像フォーマットの判定処理を実施する。
【００４１】
第１の手法は、予め決められた順番で映像フォーマットの判定処理を実施する手法である。例えば、最初に４８０ｐの映像フォーマット、次に１０８０ｉの映像フォーマットといった具合にしらか締め決められた順番で判定処理を実施する。
【００４２】
第２の手法は、４８０ｐの映像フォーマットまたは１０８０ｉの映像フォーマットのうち、直近に受信していた方の映像フォーマットを優先して判定処理を実施する手法である。例えば、図５（ａ）に示すように、直近に受信していた映像フォーマットが１０８０ｉである場合には、１０８０ｉの映像フォーマットから判定処理を実施する。この場合、例えば図５（ｂ）に示すように、直近に受信していた映像フォーマットが４８０ｉである場合には、これを無視し、その前に受信していた映像フォーマットである４８０ｐを直近に受信していた映像フォーマットであると判断し、この４８０ｐの映像フォーマットから判定処理を実施する。この第２の手法は、前回受信していた場合には、今回も同様の映像フォーマットの放送信号を受信する可能性が高いといった視聴傾向を考慮した判定処理となっている。これにより、映像フォーマットの判定処理をより迅速に行うことが可能となる。
【００４３】
また、第３の手法は、４８０ｐまたは１０８０ｉのうち、過去の受信履歴から受信回数の多い方を優先して映像フォーマットの判定処理を実施する手法である。ここで、各映像フォーマットごとの過去の受信履歴は、メモリ部２８に順次蓄積するものとする。例えば、過去１週間分の受信履歴の統計を取った結果、４８０ｐの映像信号を受信した回数が１５回、１０８０ｉの映像信号を受信した回数が１１回であった場合には、４８０ｐの映像フォーマットから判定処理を実施する。この第３の手法も、直近の過去に受信していた回数の多い映像フォーマットの放送信号を、今回も受信する可能性が高いといった視聴傾向を考慮した判定処理となっている。これにより、映像フォーマットの判定処理をより迅速に行うことが可能となる。
【図面の簡単な説明】
【００４４】
【図１】本発明の映像処理装置の主要部の電気的構成を示すブロック図である。
【図２】同期信号判定機能による判定処理を示すフローチャートである。
【図３】同期信号判定機能による判定処理を示すフローチャートである。
【図４】同期信号の計測タイミングの各種パターンを示す説明図である。
【図５】映像フォーマット判定処理の第２の手法を説明する図である。
【符号の説明】
【００４５】
２１  ＴＶマイコン
２２  チューナ回路
２３  ＴＶ信号処理回路
２４  表示部
２５  増幅器
２６  スピーカ
２７  同期分離回路
２８  メモリ部
３０  受信部
３１  リモコン
【図１】
0004595709.tif 000002
【図２】
0004595709.tif 000003
【図３】
0004595709.tif 000004
【図４】
0004595709.tif 000005
【図５】
0004595709.tif 000006